(57)【要約】【課題】  回転体として、コードを巻き付けるためのリール以外のものを必要とせず、構造が簡単で、且つ操作が簡単な電子式メジャー装置を提供する。【解決手段】  電源ＳＷ兼機能ＳＷ１１は、一度浅く押下されることにより、内部回路の電源を投入すると共に、コード１３を巻き付けたリール（他図）を半ロックする機能を有する。また、その後、深く押下されることにより、上記ロックを解除し、このリールを巻き戻して本体ケース２に収納させると共に、この時点までに繰り出されたコード１３の長さ（即ち、非測定資料の非測定区間の長さ）を表示部１２に表示させる機能を有する。測定基準線１４は、測定時に、操作者によって、非測定資料の非測定区間の両端部に順次合わせられる目印の線分である。【選択図】  図１
2005345107.tif 000002
【特許請求の範囲】
【請求項１】
本体ケースと、
前記本体ケース内に回転可能に取り付けられたリール状回転体と、
前記回転体のリール周面に巻き付けられ、前記本体ケースのコード引出口から引き出し可能な測定用のコードと、
前記回転体の回転によって巻き上げられ、引き出された前記コードを巻き戻すためのバネ手段と、
前記回転体に取り付けられ、一定の回転角毎にマーキングが施されたマーキング円板と、
前記マーキング円板の回転による前記マーキングの通過を検知する光検知器と、
前記コードが前記本体ケースから引き出されて戻る際の前記光検知器の出力パルス数を計数するカウンタと、
前記出力パルス数に基づいて前記コードの前記引き出し口から引き出された長さを算出する計算手段と、
前記計算手段が算出した前記長さの計算値を一時記憶する記憶手段と、
前記記憶手段において記憶されている前記長さの計算値をデジタル表示する表示手段と、
の各手段により構成されたことを特徴とする電子式メジャー装置。
【請求項２】
前記計算手段は、前記記憶手段に記憶されている前記長さの複数の計算値における第１の計算値に対する第２の計算値の比率を計算し、前記表示手段は、前記比率を表示するようにしたことを特徴とする請求項１に記載の電子式メジャー装置。
【請求項３】
前記表示手段は、前記第１の計算値と、前記第２の計算値と、前記比率とを、測定中に順次に表示することを特徴とする請求項２に記載の電子式メジャー装置。
【請求項４】
前記回転体の回転を半ロックする半ロック手段を操作するスイッチと、前記回転体の前記半ロックを解除する半ロック解除手段を操作するスイッチと、内部回路の電源スイッチとを兼ね備えた１つのスイッチを、前記本体ケースに設けたことを特徴とする請求項１に記載の電子式メジャー装置。
【請求項５】
本体ケースと、
前記本体ケース内に回転可能に取り付けられたリール状回転体と、
前記回転体のリール周面に巻き付けられ、前記本体ケースのコード引出口から引き出し可能な測定用のコードと、
長さの計算を開始するタイミングを指示して長さの測定データを取り込ませる取り込みスイッチ手段と、
前記回転体の回転によって巻き上げられ、引き出された前記コードを巻き戻すためのバネ手段と、
前記回転体に取り付けられ、一定の回転角毎にマーキングが施されたマーキング円板と、
前記マーキング円板の回転による前記マーキングの通過を検知する光検知器と、
前記取り込みスイッチ手段からの指示による長さの計算開始時点から、前記回転体が静止するまでの前記コードの巻き戻し時の前記光検知器の出力パルス数を計数するカウンタと、
前記出力パルス数に基づいて、前記コードの前記引き出し口から引き出された長さを算出する計算手段と、
前記計算手段が算出した前記長さの計算値を一時記憶する記憶手段と、
前記記憶手段において記憶されている前記長さの計算値をデジタル表示する表示手段と、
の各手段により構成されたことを特徴とする電子式メジャー装置。
【請求項６】
前記計算手段は、前記記憶手段に記憶されている前記長さの複数の計算値における第１の計算値に対する第２の計算値の比率を計算し、前記表示手段は、前記比率を表示するようにしたことを特徴とする請求項５に記載の電子式メジャー装置。
【請求項７】
前記表示手段は、前記第１の計算値と、前記第２の計算値と、前記比率とを、測定の進行に従って順次に表示することを特徴とする請求項５に記載の電子式メジャー装置。
【請求項８】
前記取り込みスイッチ手段を操作するスイッチと、内部回路の電源スイッチとを兼ね備えた１つのスイッチを、前記本体ケースに設けたことを特徴とする請求項５に記載の電子式メジャー装置。
【発明の詳細な説明】
【技術分野】
【０００１】
本発明は、長さを測定してこれを電子表示する電子式メジャー装置に係り、特に、二つの長さの比を計測して表示できる機能を有する電子式メジャー装置に関する。
【背景技術】
【０００２】
近年、ＩＣ（集積回路）の利用が進み、チップ化された小型の計算機が提供され、その関連機器として、各種センサ、ＩＣ化されたメモリ、小型の表示器等が、次々と提供されている。また、このような小型機器を要素とする製品として、デジタル時計等が普及している。
【０００３】
さらに、このような状況に鑑みて、長さの測定結果をデジタル表示する電子式メジャー装置も商品化されるようになった（例えば、ボッシュ株式会社のＢＯＳＣＨデジタルメジャーＤＭＢ型）。
【０００４】
なお、医療用では、ＣＴスキャンの結果を解析する場合や、レントゲン写真を解析する場合において、異なる２つの部分の長さを連続的に測定し、かつその比を計算する処理が必要であった（例えば、心胸郭比の計算）。
【０００５】
図１０は、心胸郭比計算の際に測定される比測定区間Ａ（胸郭）と、比測定区間Ｂ（心臓）を含むレントゲン写真である。
同図において、まず、比測定区間Ａ（胸郭）の長さが測定され、次に、比測定区間Ｂ（心臓）の長さが測定され、その結果に基づいて心胸郭比Ｂ／Ａが計算される。
【０００６】
従来、この心胸郭比を計算するために、心胸郭比計算用の心胸郭比スケールが発明されている（例えば、特許文献１参照。）。
【０００７】
図１１は、心胸郭比計算に用いられる特許文献１の心胸郭比スケールの構成を示すものである。
同図に示すように、この心胸郭比スケール９０は、２２〔ｃｍ〕から３３〔ｃｍ〕までの、１〔ｃｍ〕毎に長さの異なる１２本のスケール９２を備え、その各々の左端はビス９１によって回転可能に係留されている。また、これら１２本のスケール９２の各々は、それぞれの長さを１００等分して成る０から１００までの目盛りが付与されている。心胸郭比の計算は、このスケール９２を計算尺として使用することにより求められる。
【特許文献１】特開２００１−１２０５２３号公報
【発明の開示】
【発明が解決しようとする課題】
【０００８】
しかし、一般に、この種の電子式メジャー装置は、テープの引き出し長さを測定するために、テープ用のリールとは別に、周辺速度を常にテープの引き出し速度に比例した速度とした長さカウント用の回転体を必要とし、よって、構造が複雑となり、コストが高くなるといった問題点があった。
【０００９】
また、従来の電子式メジャー装置は、本発明の電子式メジャー装置のように、異なる２つの長さを連続的に測定する機能は具備しておらず、また、異なる２つの長さの比率を求める機能も有していなかった。
【００１０】
また、操作すべき釦（スイッチ）類も複数となるので、操作が複雑になるという問題点があった。
【００１１】
このため、本発明は、回転体として、コード（従来のテープに代わるもの）を巻き付けるためのリール以外のものを必要とせず、構造が簡単で、且つ操作が簡単な電子式メジャー装置の提供を目的とするものである。
【００１２】
本発明の他の目的は、異なる２つの長さを連続的に測定出来る操作が簡単な電子式メジャー装置を提供することにある。
【００１３】
本発明の他の目的は、異なる２つの長さを連続的に測定すると共に、前記異なる２つの長さの比率（例えば、医療分野等で必要とされる心胸郭比）を簡単に求めることが出来る操作が簡単な電子式メジャー装置を提供することにある。
【課題を解決するための手段】
【００１４】
本発明は、上記した従来の電子式メジャー装置の課題に鑑みてなされたものであり、本体ケースと、前記本体ケース内に回転可能に取り付けられたリール状回転体と、前記回転体のリール周面に巻き付けられ、前記本体ケースのコード引出口から引き出し可能な測定用のコードと、前記回転体の回転によって巻き上げられ、引き出された前記コードを巻き戻すためのバネ手段と、前記回転体に取り付けられ、一定の回転角毎にマーキングが施されたマーキング円板と、前記マーキング円板の回転による前記マーキングの通過を検知する光検知器と、前記コードが前記本体ケースから引き出されて戻る際の前記光検知器の出力パルス数を計数するカウンタと、前記出力パルス数に基づいて前記コードの前記引き出し口から引き出された長さを算出する計算手段と、前記計算手段が算出した前記長さの計算値を一時記憶する記憶手段と、前記記憶手段において記憶されている前記長さの計算値をデジタル表示する表示手段と、の各手段により構成されたことを特徴とする電子式メジャー装置を提供するものである。
【００１５】
これにより、従来のテープに代わる細くて丈夫なコードを巻き付けるためのリール以外には回転体を必要とせず、従って構造が簡単で、且つ只一つだけのスイッチの設置により操作が簡単となる電子式メジャー装置を提供することができる。
【００１６】
また、前記電子式メジャー装置において、前記計算手段は、前記記憶手段に記憶されている前記長さの複数の計算値における第１の計算値に対する第２の計算値の比率を計算し、前記表示手段は、前記比率を表示するようにしたことを特徴とする。これにより、例えば、医療分野等で必要とされる心胸郭比の計算を連続して容易に行うことができる電子式メジャー装置を提供することができる。
【００１７】
また、前記電子式メジャー装置において、前記表示手段は、前記第１の計算値と、前記第２の計算値と、前記比率とを、測定中に順次に表示することを特徴とする。これにより、表示装置の設置個数を只一つに抑えることが可能となるので、装置構成が簡単となり、コストを低減することができる。
【００１８】
さらに、前記電子式メジャー装置において、前記回転体の回転を半ロックする半ロック手段を操作するスイッチと、前記回転体の前記半ロックを解除する半ロック解除手段を操作するスイッチと、内部回路の電源スイッチとを兼ね備えた１つのスイッチを、前記本体ケースに設けたことを特徴とする。これにより、電源スイッチと操作スイッチとの設置個数を合計して只一つに抑えることが可能となるので、装置構成が簡単となり、コストを低減することができる。
【００１９】
また、本発明は、上記した従来の電子式メジャー装置の課題に鑑みてなされたものであり、本体ケースと、前記本体ケース内に回転可能に取り付けられたリール状回転体と、前記回転体のリール周面に巻き付けられ、前記本体ケースのコード引出口から引き出し可能な測定用のコードと、長さの計算を開始するタイミングを指示して長さの測定データを取り込ませる取り込みスイッチ手段と、前記回転体の回転によって巻き上げられ、引き出された前記コードを巻き戻すためのバネ手段と、前記回転体に取り付けられ、一定の回転角毎にマーキングが施されたマーキング円板と、前記マーキング円板の回転による前記マーキングの通過を検知する光検知器と、前記取り込みスイッチ手段からの指示による長さの計算開始時点から、前記回転体が静止するまでの前記コードの巻き戻し時の前記光検知器の出力パルス数を計数するカウンタと、前記出力パルス数に基づいて、前記コードの前記引き出し口から引き出された長さを算出する計算手段と、前記計算手段が算出した前記長さの計算値を一時記憶する記憶手段と、前記記憶手段において記憶されている前記長さの計算値をデジタル表示する表示手段とを備えたことを特徴とする電子式メジャー装置を提供するものである。
【００２０】
このように構成することにより、従来のテープに代わる細くて丈夫なコードを巻き付けるためのリール以外には回転体を必要とせず、半ロック手段も必要とせず、従って構造が一層簡単で、且つ只一つだけのスイッチの設置により操作が簡単となり、また、測定中にコードの出し入れが可能な電子式メジャー装置を提供することができる。
【００２１】
これにより、本発明は、従来のテープに代わる細くて丈夫なコードを巻き付けるためのリール以外には回転体を必要とせず、半ロック手段も必要とせず、従って構造が一層簡単で、且つ只一つだけのスイッチの設置により操作が簡単となり、また、測定中にコードの出し入れが可能で、且つ異なる２つの長さを連続的に測定できるようにしたのである。
【発明の効果】
【００２２】
本発明によれば、回転体として、コード（従来のテープに代わるもの）を巻き付けるためのリール以外のものを必要とせず、構造が簡単で、且つ操作が簡単な電子式メジャー装置の提供することができる。
【００２３】
また、異なる２つの長さを連続的に測定出来る操作が簡単な電子式メジャー装置を提供することができる。
【００２４】
また、異なる２つの長さを連続的に測定すると共に、前記異なる２つの長さの比率（例えば、医療分野等で必要とされる心胸郭比）を簡単に求めることができる操作が簡単な電子式メジャー装置を提供することができる。
【００２５】
また、測定結果がデジタル表示されることにより、操作者が間違いなく測定結果を読み取ることができる電子式メジャー装置を提供することができる。
【発明を実施するための最良の形態】
【００２６】
以下、図面を参照して、本発明の実施の形態について詳細に説明する。
【００２７】
〔第１の実施形態〕
図１は、本発明の第１の実施形態に係る電子式メジャー装置の構造を示す正面図である。
図１に示すように、本実施形態に係る電子式メジャー装置（デジタル巻尺１）は、本巻尺の他の構成要素を収納するための本体ケース２と、電源スイッチと測定データの取り込み開始スイッチとを兼ねた電源ＳＷ兼機能ＳＷ１１と、測定した長さを表示するための表示部１２と、本体ケース２に収納されたコード１３と、コード１３上の測定基準線を示す測定基準線１４と、コード１３を収納限界で収納停止させるためのコード留具１５と、コード１３を摘み出すための引出用摘み１６とを備える。
【００２８】
本体ケース２は、リール２１（図２で後述する）や、内部回路を収納し、これらの構成要素を外圧から保護する。
【００２９】
電源ＳＷ兼機能ＳＷ１１は、一度浅く押下されると、内部回路の電源を投入する機能を有する。なお、この電源の投入は、このデジタル巻尺１の使用が所定時間（例えば、３０〔秒〕）だけ中断した時に自動的に切断されるものとする。また、一度投入されると、前記所定時間の中断時点以外では切断されないものとする。
【００３０】
また、電源ＳＷ兼機能ＳＷ１１は、一度浅く押下されると、前述のとおり内部回路の電源を投入すると共に、コード１３を巻き付けたリール２１（図２で後述する）を半ロックする機能を有する。また、その後、深く押下されることにより、上記ロックを解除し、このリールを巻き戻して本体ケース２に収納させると共に、この時点までに繰り出されたコード１３の長さ（即ち、非測定資料の非測定区間の長さ）を表示部１２に表示させる機能を有する。
【００３１】
表示部１２は、測定された長さを、〔ｍ〕、〔ｃｍ〕、または〔ｍｍ〕のいずれかの単位で表示するものとする。この表示の桁数は３桁程度にすることが可能である。なお、表示部１１は液晶等で構成することができる。
【００３２】
コード１３は、魚釣り用のテグス糸のような丈夫な材質で形成され、且つ魚釣り用のテグス糸のような形状で構成される。また、コード１３の内径は、後述するリール２１（図２）の内径に比べて十分に小さいものとする。このように構成することにより、測定誤差を僅少にしている。また、コード１３には、長さの目盛りが刻まれていてもよいし、刻まれていなくてもよい。
【００３３】
測定基準線１４は、測定時に、操作者によって、非測定資料の非測定区間の両端部に順次合わせられる目印の線分である。操作者は、電源ＳＷ兼機能ＳＷ１１を浅く押下した後、まず、この測定基準線１４を非測定資料の非測定区間の一方の端部に合わせる。
【００３４】
その後、操作者は、コード１３を引出し、測定基準線１４を、今度は前記非測定区間の他方の端部に合わせ、この状態で電源ＳＷ兼機能ＳＷ１１を深く押下することにより、繰り出されたコード１３の長さ（即ち、非測定資料の非測定区間の長さ）を表示部１２に表示させることができる。なお、このコード１３の引出し時にはコード１３が半ロックされるので、操作者が手を放してもコード１３は前記リールに収納されないものとする。
【００３５】
コード留具１５は、コード１３が本体ケース内に巻き戻されることを阻止する機能を有する。コード留具１５と後述する引出用摘み１６との間の距離は任意とすることが出来る（図１では、説明の便宜上、長めにとっている）。
【００３６】
引出用摘み１６は、操作者が非測定資料の非測定区間の長さを測定する際に、この部分を指で摘んでコード１３を本体ケース内から容易に引き出すことができるようにしている。
【００３７】
図２は、本発明の第１の実施形態に係る電子式メジャー装置のコード巻き取り機構を示す透視図であり、図２（ａ）は正面から見た透視図、図２（ｂ）は側面から見た透視図を示すものである。
【００３８】
図２（ａ）に示すように、本実施形態に係る電子式メジャー装置（デジタル巻尺１）のコード巻き取り機構は、コード１３（図１）を巻き付けると共にガイドするリール２１と、リール２１内でコード１３を巻き付けるためのコード積層部２２と、リール２１のコード積層部２２よりも中心寄りで同心円をなすマーキング円板２５と、マーキング円板２５の周辺上に、等間隔に配置された複数のマーキング２３と、リール２１の中心に位置する回転軸２４とを具備する。回転軸２４には、その底部に、リール２１の回転を半ロックするための図示しない摩擦部が存在する。
【００３９】
図２（ｂ）に示すように、リール２１は、糸巻状に形成され、その側壁をなす２面の円板の間にコードを１層だけ挟み込むことによって、巻き付けられたコード１３をガイドする。
【００４０】
コード積層部２２は、リール２１にコード１３を１層だけ巻き付けるための空間を備える。
【００４１】
リール２１に巻き付けられたコード１３は、測定中の半ロック状態において、引出用摘み１６を指で摘んで、本体ケース２のテープ引出口１７から外部に引き出すことが可能であるが、この半ロック状態では、引出用摘み１６から指を放しても、リール２１に巻き戻されることはない。
【００４２】
なお、回転軸２４には、コード１３が本体ケース２のテープ引出口１７から引き出される際に、この引出しに反発して、このコード１３を絶えず本体ケース２内に引き戻すように作用する機構（ゼンマイバネ等）が設置されるものとする。
【００４３】
マーキング２３は、後述する内部回路の発光ダイオードの光を反射させるための反射板として形成されている。このマーキング２３は、リール２１の回転角度を計量するために設けられたものである。この回転角度は、後述する内部回路の計算部によって、コード１３の引き出し長さに換算される。
【００４４】
図２（ａ）では、図示の便宜上、マーキング２３を１６個だけを示している。この場合、計量可能な回転角度の最小単位は、２２．５〔ラジアン〕である。しかし、本発明では、一般には、スリット２３の設置個数は任意であり、測定すべき長さの精度（最小測定単位）に対応して設置されるべきものである。
【００４５】
回転軸２４は、リール２１の中心において、リール２１が回転可能であるように、リール２１を本体ケース２（図１）に係留する機能を有する。
【００４６】
この回転軸２４は、電源ＳＷ兼機能ＳＷ１１が操作者によって浅く押下された時（半ロックされた時）には、前述のとおり、この操作者が引出用摘み１６から指を放しても、コード１３がリール２１に巻き戻されることがないようにリール２１を係留するものとする。しかしながら、この操作者が引出用摘み１６を摘んでコード１３を本体ケース２のコード引出口１７から引き出す際には該引き出しが可能なようにリール２１を回転させるものとする。
【００４７】
さらに、回転軸２４は、電源ＳＷ兼機能ＳＷ１１が操作者によって深く押下された時（ロック解除時）には、リール２１を自由回転させる。これにより、コード１３を絶えず本体ケース２内に引き戻すように作用する前述の機構（ゼンマイバネ等）の作用により、コード１３は、コード引出口１７を介してリール２１に巻き戻され、本体ケース２内に収納される。
【００４８】
図２（ｃ）は、図２（ａ）に示すリール２１の他にプーリ２６を設け、コード１３を本体ケース２からプーリ２６を介して引き出すようにした構成を示す。これにより、コード１３の引き出し方向を１８０度転換することができる。さらに、この場合においては、マーキング円板２５をプーリ２６の回転軸に取り付け、マーキング円板５上のマーキング２３を光検知器（発光素子３１及び受光素子３２）で検出するようにしてもよい。この場合、コード１３はプーリ２６内で重なった状態で巻き取られることはないので、コード１３の引出長さを正確に測定することができる。
【００４９】
図３は、本発明の第１の実施形態に係る電子式メジャー装置のリールを半ロックする機構の主要部を示す説明図であり、図３（ａ）は半ロック解除時を示し、図３（ｂ）は半ロック時を示し、図３（ｃ）は半ロックを解除するために電源ＳＷ兼機能ＳＷ１１が操作者によって深く押下された状態を示し、図３（ｄ）は半ロックが解除される直前の状態を示すものである。
【００５０】
図３（ａ）に示す半ロック解除時には、前述のとおり、リール２１は自由回転する。また、図３（ｂ）に示す半ロック時には、前述のとおり、操作者が引出用摘み１６から指を放してもコード１３がリール２１に巻き戻されることがなく、しかしながら、この操作者が引出用摘み１６を摘んでコード１３を本体ケース２のコード引出口１７から引き出す際には該引き出しが可能なようにリール２１を回転させることができる。
【００５１】
図３において、芯棒２４２には、バネ等により、ａ方向とは逆方向に張力が常に加えられているものとする。また、スライド２４５には、バネ等により、ａ方向に、前記張力よりも弱い張力が常に加えられているものとする。
【００５２】
以下、図３に示すリール２１の半ロック機構の動作を説明する。
まず、図３（ａ）に示す状態はリール２１の半ロックが解除されている時の状態であり、この時、芯棒２４２の一部から突き出たカム２４３は、外壁２４１の内側に留まっている。
【００５３】
次に、図３（ｂ）に示す状態はリール２１が本体ケース２（図１）に対して半ロックされた時の状態であり、この時、芯棒２４２の一部開口部から突き出たカム２４３は、さらに外壁２４１の一部から突き出し、芯棒２４２が前記張力によりａ方向とは逆方向に引っ張られることを阻止する。この状態で、芯棒２４２の底部（ａ方向）に設置された摩擦部により、リール２１は半ロック状態になる。
【００５４】
次に、図３（ｃ）に示す状態は半ロックを解除する操作の途中図であり、電源ＳＷ兼機能ＳＷ１１が操作者によって深く押下された状態を示している。この状態では、カム２４３の先端がスライド２４５上の凸部２４６に引っ掛かる。
【００５５】
次に、図３（ｄ）に示す状態も半ロックを解除する操作の途中図であり、操作者が電源ＳＷ兼機能ＳＷ１１から手を放して半ロックが解除される直前の状態を示している。この状態では、芯棒２４２が前記張力によってａ方向とは反対方向に引っ張られるのでカム２４３の先端はスライド２４５上の凸部２４６を引っ掛けたままでａ方向とは反対方向に移動するので、図３（ｂ）に示すようにカム２４３が芯棒２４２の一部開口部から突き出すことなく、この開口部を通過する。芯棒２４２に仕掛けられた前述の張力により、図３（ｄ）に示す状態から更にカム２４３がａ方向とは反対方向に移動すると、スライド２４５の異動限界に達するので、カム２４３の先端はスライド２４５上の凸部２４６の上を滑ってスライド２４５から放れ、外壁２４１の内側に留まった状態となる。また、この時、カム２４３の先端から放れたスライド２４５は、前述のａ方向に張られた弱い張力により、ａ方向に異動し、前記開口部を通過する。これにより、再び前述の図３（ａ）に示す状態に戻る（半ロックが解除される）。
【００５６】
図４は、本発明の第１の実施形態に係る電子式メジャー装置の内部回路の構成を示す回路図である。
図４に示す内部回路は、マーキング２３（図２）に光を照射する発光素子３１と、マーキング２３から反射する反射光を受光してパルス信号に変換する受光素子３２と、前記パルス信号に含まれるチャッタを除去するチャッタ除去回路３３と、前記チャッタが除去されたパルス信号のパルス数をカウントして数値データに変換するカウンタ３４と、コード１３が巻き戻されるタイミングでデータの取り込みを指示する機能ＳＷの電気接点３５と、機能ＳＷの電気接点３５が押下された時点まででのコード１３が引き出された長さを計算する計算部３６と、コード１３が引き出された長さを表示部１２（図１）に表示する表示器３７とを具備する。
【００５７】
なお、上記の他に、蓄電池、太陽電池のいずれか１つを電源とする電源系統（図示は省略）を具備する。
【００５８】
マーキング２３に照射された発光素子３１の照射光は、受光素子３２で受光されてパルス信号に変換され、チャッタ除去回路３３によって、該パルス信号中のチャッタ成分が除去されてカウンタ３４に送出される。
【００５９】
カウンタ３４は、パルス信号のパルス数をカウントして、そのカウント値を計算部３６に送出する。カウンタ３４がカウントして出力するパルス信号のパルス数は、発光素子３１から照射されて受光素子３２に反射光を返したマーキング２３の個数に等しい。
【００６０】
機能ＳＷの電気接点３５は、データ取り込み（コード１３が引き出された長さの入力）を指示する操作者の意思を入力するためのスイッチである。このスイッチは、電源ＳＷ兼機能ＳＷ１１が深く押下されてリール２１の半ロック状態が解除された時にオンとなり、リール２１が半ロックされた時にオフとなる。
【００６１】
以下、非測定対象が１つだけ（以下、これをＡとする）の場合の計算部３６の動作を説明する。
【００６２】
計算部３６は、電源ＳＷ兼機能ＳＷ１１が、操作者によって浅く押下されてリール２１が半ロックされた時に、内部回路の電源を投入すると共に、内部メモリをクリアしてコード１３が引き出される長さの計算を開始する（非測定対象Ａの長さの計算）。
【００６３】
より具体的には、計算部３６は、前記長さの計算において、カウンタ３４から送出されるパルス数により、リール２１が引き出された長さを計算し、その結果を内部メモリに格納する。
【００６４】
計算部３６は、電源ＳＷ兼機能ＳＷ１１が深く押下されてリール２１の半ロック状態が解除された時に、前記長さの計算を終了して、その結果（内部メモリの記憶内容）を表示部１２（図１）に表示する。
【００６５】
この状態において、電源ＳＷ兼機能ＳＷ１１が、操作者によって再び浅く押下されないままに、所定時間（例えば、５０〔秒〕）が経過すると、長さの計算処理は終了し、内部回路の電源も落とされる。
【００６６】
しかし、この状態において、前記所定時間内に、電源ＳＷ兼機能ＳＷ１１が、操作者によって再び浅く押下されて、リール２１が半ロック状態にされると、再び、前述の長さの計算を開始する。
【００６７】
以下、非測定対象が２つ（以下、これをＡとＢとする）であり、両者の比（Ｂ／Ａ）を計算する場合（例えば、心胸郭比を計算する場合）の計算部３６の動作を説明する。
【００６８】
計算部３６は、電源ＳＷ兼機能ＳＷ１１が、ユーザによって浅く押下されてリール２１が半ロックされた時に、内部回路の電源を投入すると共に、内部メモリをクリアしてコード１３が引き出される長さの計算を開始する（非測定対象Ａの長さの計算）。
【００６９】
より具体的には、計算部３６は、前記長さの計算において、カウンタ３４から送出されるパルス数により、リール２１が引き出された長さを計算し、その結果を内部メモリに格納する。
【００７０】
計算部３６は、電源ＳＷ兼機能ＳＷ１１が深く押下されてリール２１の半ロック状態が解除された時に、前記長さの計算を終了して、その結果（内部メモリの記憶内容）を表示部１２（図１）に表示する。
【００７１】
この状態において、電源ＳＷ兼機能ＳＷ１１が、操作者によって再び浅く押下されないままに、所定時間（例えば、５０〔秒〕）が経過すると、長さの計算処理は終了し、内部回路の電源も落とされる。
【００７２】
しかし、この状態において、前記所定時間内に、電源ＳＷ兼機能ＳＷ１１が、操作者によって再び浅く押下されて、リール２１が半ロックされた時に、内部メモリの内容（Ａの長さ）を他の内部メモリに退避すると共に、Ａの長さを記憶する前記内部メモリをクリアしてコード１３が引き出される長さの計算を開始する（非測定対象Ｂの長さの計算）。
【００７３】
より具体的には、計算部３６は、前記長さの計算において、カウンタ３４から送出されるパルス数により、リール２１が引き出された長さを計算し、その結果を内部メモリに格納する。
【００７４】
計算部３６は、電源ＳＷ兼機能ＳＷ１１が深く押下されてリール２１の半ロック状態が解除された時に、前記長さの計算を終了して、その結果（内部メモリの記憶内容）を表示部１２（図１）に表示する。
【００７５】
この状態において、所定時間（例えば、３〔秒〕）が経過すると、前記内部メモリの内容（Ｂの長さ）と、前記他の内部メモリの内容（Ａの長さ）とから、両者の比（Ｂ／Ａ）を計算し、これを表示部１２（図１）に表示する。
【００７６】
その後、電源ＳＷ兼機能ＳＷ１１が、操作者によって再び浅く押下されないままに、所定時間（例えば、５０〔秒〕）が経過すると、長さの計算処理は終了し、内部回路の電源も落とされる。
【００７７】
しかし、この状態において、前記所定時間内に、電源ＳＷ兼機能ＳＷ１１が、操作者によって再び浅く押下されてリール２１が半ロック状態にされると、再び、前述の長さの計算（長さＡの計算）を開始する。
【００７８】
図５は、本発明の第１の実施形態に係る電子式メジャー装置の計算部の動作を示すフローチャートである。
以下、図１〜４を参照しながら、図５に示すフローチャートを使用して、本実施形態に係る電子式メジャー装置（デジタル巻尺１）の計算部３６の動作を説明する。
【００７９】
図５に示す動作は、非測定対象が只１つだけの場合の計算部３６の動作を示している。
計算部３６は、電源ＳＷ兼機能ＳＷ１１が、操作者によって浅く押下されてリール２１が半ロックされた時に、内部回路の電源を投入すると共に、内部メモリをクリアしてコード１３が引き出される長さの計算を開始する（ステップＳ１）。
【００８０】
次に、計算部３６は、電源ＳＷ兼機能ＳＷ１１が操作者によって深く押下されてリール２１の半ロック状態が解除されたか否かを検証し、半ロック状態が解除されている場合は長さの計算を終了してステップＳ３に進み、また、半ロック状態が解除されていない場合にはステップＳ１に戻る（ステップＳ２）。
【００８１】
ステップＳ３では、計算部３６は、表示部１２に計算した長さを表示する。
【００８２】
次に、計算部３６は、電源ＳＷ兼機能ＳＷ１１が操作者によって浅く押下されてリール２１が半ロックされたか否かを検証し、半ロックされた場合は、操作者が連続して測定することを意味するので、ステップＳ１に戻り、また、半ロックされていない場合にはステップＳ５に進む（ステップＳ４）。
【００８３】
ステップＳ５では、計算部３６は、所定時間（例えば、５０〔秒〕）が経過したか否かを検証し、所定時間内であればステップＳ４に戻り、また、所定時間が経過していればステップＳ６に進む。
【００８４】
ステップＳ６では、計算部３６は、長さの計算処理を終了し、内部回路の電源を落とす。
【００８５】
図６は、本発明の第１の実施形態に係る電子式メジャー装置の計算部の他の動作を示すフローチャートである。
以下、図１〜４を参照しながら、図６に示すフローチャートを使用して、本実施形態に係る電子式メジャー装置（デジタル巻尺１）の計算部３６の他の動作を説明する。
【００８６】
図６に示す動作は、非測定対象が２つの場合であり、また、両者の比を計算する場合の計算部３６の動作を示している。
【００８７】
計算部３６は、電源ＳＷ兼機能ＳＷ１１が、操作者によって浅く押下されてリール２１が半ロックされた時に、内部回路の電源を投入すると共に、内部メモリをクリアしてコード１３が引き出される長さ（例えば、非測定対象Ａ（図１１）の長さ）の計算を開始する（ステップＳ２１）。
【００８８】
次に、計算部３６は、電源ＳＷ兼機能ＳＷ１１が操作者によって深く押下されてリール２１の半ロック状態が解除されたか否かを検証し、半ロック状態が解除されている場合は長さの計算を終了してステップＳ２３に進み、また、半ロック状態が解除されていない場合にはステップＳ２１に戻る（ステップＳ２２）。
【００８９】
ステップＳ２３では、計算部３６は、表示部１２に計算した長さ（例えば、非測定対象Ａの長さ）を表示する。
【００９０】
次に、計算部３６は、電源ＳＷ兼機能ＳＷ１１が操作者によって浅く押下されてリール２１が半ロックされたか否かを検証し、半ロックされていない場合は半ロックされるまで待機し、半ロックされた場合はステップＳ２５に進む（ステップＳ２４）。
【００９１】
ステップＳ２５では、計算部３６は、内部メモリを他の内部メモリに退避し、内部メモリをクリアしてコード１３が引き出される長さ（非測定対象Ｂ（図１１）の長さ）の計算を開始する。
【００９２】
次に、計算部３６は、電源ＳＷ兼機能ＳＷ１１が操作者によって深く押下されてリール２１の半ロック状態が解除されたか否かを検証し、半ロック状態が解除されている場合は長さの計算を終了してステップＳ２７に進み、また、半ロック状態が解除されていない場合にはステップＳ２５に戻る（ステップＳ２６）。
【００９３】
ステップＳ２７では、計算部３６は、表示部１２に計算した長さ（非測定対象Ｂの長さ）を表示する。
【００９４】
次に、計算部３６は、第２の所定時間（例えば、３〔秒〕）が経過するまで待機し、第２の所定時間が経過すればステップＳ２９に進む（ステップＳ２８）。
【００９５】
ステップＳ２９では、計算部３６は、前記内部メモリと前記他の内部メモリとの内容から両者の比（Ｂ／Ａ〔％〕）を計算し、その結果を表示部１２に表示する。
【００９６】
次に、計算部３６は、電源ＳＷ兼機能ＳＷ１１が操作者によって浅く押下されてリール２１が半ロックされたか否かを検証し、半ロックされた場合は操作者が連続して測定することを意味するので、ステップＳ２１に戻り、半ロックされていない場合はステップＳ３１に進む（ステップＳ３０）。
【００９７】
ステップＳ３１では、計算部３６は、第１の所定時間（例えば、５０〔秒〕）が経過したか否かを検証し、第１の所定時間内であればステップＳ３０に戻り、また、第１の所定時間が経過すればステップＳ３２に進む。
【００９８】
ステップＳ３２では、計算部３６は、長さの計算処理を終了し、内部回路の電源を落とす。
【００９９】
〔第２の実施形態〕
図７は、本発明の第２の実施形態に係る電子式メジャー装置の構造を示す正面図である。
図７に示すように、本実施形態に係る電子式メジャー装置（デジタル巻尺７）は、図１，２に示す本発明の第１の実施形態に係る電子式メジャー装置（デジタル巻尺１）の構造と比べると、第１の実施形態の電源ＳＷ兼機能ＳＷ１１が、電源ＳＷ兼取り込みＳＷ７１（請求項６記載の取り込みスイッチ手段）と置き代わり、機能ＳＷの電気接点３５（図４）も、この電源ＳＷ兼取り込みＳＷ７１に対応するものであり、また、第１の実施形態に係る電子式メジャー装置（デジタル巻尺１）のように、リール２１を半ロックする機能は備えないので、リール２１の回転軸２４（図２）にはリール２１を半ロックするための摩擦部は設置されない。これらの点を除き、その他の構成は第１の実施形態に係る電子式メジャー装置（デジタル巻尺１）の構成と同じである。
【０１００】
本実施形態に係る電子式メジャー装置（デジタル巻尺７）では、まず、操作者が、電源ＳＷ兼取り込みＳＷ７１を押下することにより、内部回路に電源を供給する。しかし、第１の実施形態に係る電子式メジャー装置（デジタル巻尺１）のような半ロック機構は備えていないので、これによってリール２１が半ロックされることはない。
【０１０１】
次に、操作者は、非測定資料の非測定区間の測定を開始するが、この際、コード１３を本体ケース２のコード引出口１７から引き出すだけではなく、引き出し過ぎた場合は部分的に巻き戻すことも可能である。即ち、操作者は、非測定資料の非測定区間を測定するに際し、コード１３の引き出し長さが長過ぎた場合は、これを巻き戻して、長さを適宜調節することができる。
【０１０２】
但し、この間、計算部３６は、内部回路に電源が供給されていても、引き出されるコード１３の引き出し長さや巻き戻し長さの計算は行わない。
【０１０３】
本実施形態に係る電子式メジャー装置（デジタル巻尺７）では、操作者が、非測定対象の非測定区間にコード１３の基準線１６を当て」がうことにより計測操作を完了させ、電源ＳＷ兼取り込みＳＷ７１が再び押下すると共に、引出用摘み１６から指を放して、コード１３を巻き戻させて本体ケースに収納させる時に、引き出されていたコード１３の巻き戻し長さが計算される。
【０１０４】
従って、電源投入後に、計算部３６が、コード１３の巻き戻し長さの計算を開始するのは、操作者によって、電源ＳＷ兼取り込みＳＷ７１が再び押下された時点からであり、計算部３６は、電源ＳＷ兼取り込みＳＷ７１が再び押下されことを合図に、計算部３６はコード１３の巻き戻し長さの計算を開始する。
【０１０５】
よって、操作者は、電源投入後に、再び電源ＳＷ兼取り込みＳＷ７１を押下すると同時、または電源ＳＷ兼取り込みＳＷ７１を再び押下した後、引出用摘み１６から指を放して、コード１３を連続的に巻き戻させて本体ケース２に収納させるように操作する。
【０１０６】
図８は、本発明の第２の実施形態に係る電子式メジャー装置の計算部の動作を示すフローチャートである。
以下、図７、２、４を参照しながら、図８に示すフローチャートを使用して、本実施形態に係る電子式メジャー装置（デジタル巻尺７）の計算部３６の動作を説明する。
【０１０７】
図８に示す動作は、非測定対象が只１つだけの場合の計算部３６の動作を示している。
計算部３６は、電源投入後に、電源ＳＷ兼取り込みＳＷ７１が、操作者によって押下（即ち、電源投入時の押下以降の２回目の押下）されるまで待機し（ステップＳ４１）、電源投入後に、電源ＳＷ兼取り込みＳＷ７１が、操作者によって押下されると、内部メモリをクリアしてコード１３が巻き戻される長さ（例えば、非測定対象Ａ（図１１）の長さ）の計算を開始する（ステップＳ４２）。
【０１０８】
次に、計算部３６は、カウンタ３４（図４）からのパルスを検証し、マーキング円板２５（図２）が静止したか否かを検証する。マーキング円板２５が静止していない場合はステップＳ４２に戻り、また、マーキング円板２５が静止した場合は、ステップＳ４４に進む。
【０１０９】
ステップＳ４４では、計算部３６は、表示部１２に長さ（非測定対象Ａの長さ）を表示する。
【０１１０】
次に、計算部３６は、電源ＳＷ兼取り込みＳＷ７１が、操作者によって、さらに押下されたか否かを検証し、電源ＳＷ兼取り込みＳＷ７１がさらに押下された場合は、操作者が連続して測定することを意味する（コード１３は再び引き出されている）ので、ステップＳ１に戻り、電源ＳＷ兼取り込みＳＷ７１がさらに押下されていない場合は、ステップＳ４６に進む（ステップＳ４５）。
【０１１１】
ステップＳ４６では、計算部３６は、所定時間（例えば、５０〔秒〕）が経過したか否かを検証し、所定時間内であればステップＳ４５に戻り、また、所定時間が経過していればステップＳ４７に進む。
【０１１２】
ステップＳ４７では、計算部３６は、長さの計算処理を終了し、内部回路の電源を落とす。
【０１１３】
図９は、本発明の第２の実施形態に係る電子式メジャー装置の計算部の他の動作を示すフローチャートである。
以下、図７、２、４を参照しながら、図９に示すフローチャートを使用して、本実施形態に係る電子式メジャー装置（デジタル巻尺７）の計算部３６の他の動作を説明する。
【０１１４】
図９に示す動作は、非測定対象が２つの場合であり、また、両者の比を計算する場合の計算部３６の動作を示している。
【０１１５】
計算部３６は、電源投入後に、電源ＳＷ兼取り込みＳＷ７１が、操作者によって押下（即ち、電源投入時の押下以降の２回目の押下）されるまで待機し（ステップＳ５１）、電源投入後に、電源ＳＷ兼取り込みＳＷ７１が、操作者によって押下されると、内部メモリをクリアしてコード１３が巻き戻される長さ（例えば、非測定対象Ａ（図１１）の長さ）の計算を開始する（ステップＳ５２）。
【０１１６】
次に、計算部３６は、カウンタ３４（図４）からのパルスを検証し、マーキング円板２５（図２）が静止したか否かを検証する。マーキング円板２５が静止していない場合はステップＳ５２に戻り、また、マーキング円板２５が静止した場合は、ステップＳ５４に進む。
【０１１７】
ステップＳ５４では、計算部３６は、表示部１２に長さ（非測定対象Ａの長さ）を表示する。
【０１１８】
次に、計算部３６は、電源ＳＷ兼取り込みＳＷ７１が、操作者によって、さらに押下されるまで待機し、電源ＳＷ兼取り込みＳＷ７１が、操作者によって、さらに押下されると、Ａの長さを記憶する内部メモリの内容を他の内部メモリに退避した後、Ａの長さを記憶する内部メモリをクリアしてコード１３が巻き戻される長さ（非測定対象Ｂの長さ）の計算を開始する（ステップＳ５６）。
【０１１９】
次に、計算部３６は、カウンタ３４（図４）からのパルスを検証し、マーキング円板２５（図２）が静止したか否かを検証する。マーキング円板２５が静止していない場合はステップＳ５６に戻り、また、マーキング円板２５が静止した場合は、ステップＳ５８に進む。
【０１２０】
ステップ５８では、計算部３６は、表示部１２に長さ（非測定対象Ｂ（図１１）の長さ）を表示する。
【０１２１】
次に、計算部３６は、第２の所定時間（例えば、３〔秒〕）が経過するまで待機し、第２の所定時間が経過すると、ステップＳ５９に進む。
【０１２２】
ステップＳ５９では、計算部３６は、前記内部メモリの内容（Ｂの長さ）と、前記他の内部メモリの内容（Ａの長さ）とから、両者の比（Ｂ／Ａ〔％〕）を計算し、これを表示部１２に表示する。
【０１２３】
次に、計算部３６は、電源ＳＷ兼取り込みＳＷ７１が、操作者によって、さらに押下されたか否かを検証し、電源ＳＷ兼取り込みＳＷ７１がさらに押下された場合は、操作者が連続して測定することを意味する（コード１３は再び引き出されている）ので、ステップＳ５２に戻り、電源ＳＷ兼取り込みＳＷ７１がさらに押下されていない場合は、ステップＳ６２に進む（ステップＳ４５）。
【０１２４】
ステップＳ６２では、計算部３６は、第１の所定時間（例えば、５０〔秒〕）が経過したか否かを検証し、第１の所定時間内であればステップＳ６１に戻り、また、第１の所定時間が経過していればステップＳ６３に進む。
【０１２５】
ステップＳ６３では、計算部３６は、長さの計算処理を終了し、内部回路の電源を落とす。
【０１２６】
なお、本発明に係る計算部３６の処理の少なくとも一部をコンピュータ制御により実行するものとし、かつ、上記処理を、図５，６，８，９のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【０１２７】
これによって、本発明に係る電子式メジャー装置は、例えば図１０に示すようなレントゲン写真において、心胸郭比計算の際に測定される比測定区間Ａ（胸郭）の長さと比測定区間Ｂ（心臓）の長さを連続して測定され、その測定結果に基づいて心胸郭比Ｂ／Ａの計算値を直ちに表示することができる。また、医療分野における他の測定対象としては、ＣＴスキャナや超音波スキャナ等による人間の腹部断層写真における皮下脂肪率や内臓脂肪率の計算値を表示させることもできる。
【０１２８】
さらに、本電子メジャー装置の他の測定対象としては、衣料の販売現場において、女性用下着であるブラジャーを購入する際に行われる胸部サイズ（バスト）の測定において、本装置を用いてトップバストのサイズ測定に引き続きアンダーバストのサイズを測定し、トップバストとアンダーバストの比率を直ちに表示することにより、購入するブラジャーのカップサイズを得ることが可能となる。
【産業上の利用可能性】
【０１２９】
本発明は、回転体に巻き付けられたコードを本体ケースの引出口から引き出して被測定物の長さの測定や２つの長さの比率を表示する電子式メジャー装置に関するものであり、産業上の利用可能性を有する。
【図面の簡単な説明】
【０１３０】
【図１】本発明の第１の実施形態に係る電子式メジャー装置の構造を示す正面図である。
【図２（ａ）】本発明の第１の実施形態に係る電子式メジャー装置のコード巻き取り機構を示す透視図であり、正面から見た透視図を示す。
【図２（ｂ）】本発明の第１の実施形態に係る電子式メジャー装置のコード巻き取り機構を示す透視図であり、側面から見た透視図を示す。
【図２（ｃ）】本発明の第１の実施形態に係る電子式メジャー装置のコード巻き取り機構を示す透視図であり、プーリ２６を介してコード２を引き出すようにした構成例を示す。
【図３】本発明の第１の実施形態に係る電子式メジャー装置のリールを半ロックする機構の主要部を示す説明図であり、図３（ａ）は半ロック解除時を示し、図３（ｂ）は半ロック時を示し、図３（ｃ）は半ロックを解除するために電源ＳＷ兼機能ＳＷ１１が操作者によって深く押下された状態を示し、図３（ｄ）は半ロックが解除される直前の状態を示すものである。
【図４】本発明の第１の実施形態に係る電子式メジャー装置の内部回路の構成を示す回路図である。
【図５】本発明の第１の実施形態に係る電子式メジャー装置の計算部の動作を示すフローチャートである。
【図６】本発明の第１の実施形態に係る電子式メジャー装置の計算部の他の動作を示すフローチャートである。
【図７】本発明の第２の実施形態に係る電子式メジャー装置の構造を示す正面図である。
【図８】本発明の第２の実施形態に係る電子式メジャー装置の計算部の動作を示すフローチャートである。
【図９】本発明の第２の実施形態に係る電子式メジャー装置の計算部の他の動作を示すフローチャートである。
【図１０】心胸郭比計算の際に測定される比測定区間Ａ（胸郭）と、比測定区間Ｂ（心臓）を含むレントゲン写真である。
【図１１】心胸郭比計算に用いられる特許文献１の心胸郭比スケールの構成を示すものである。
【符号の説明】
【０１３１】
１：デジタル巻尺（第１の実施形態に係る電子式メジャー装置）
２：本体ケース
７：デジタル巻尺（第２の実施形態に係る電子式メジャー装置）
１１：電源ＳＷ兼機能ＳＷ
１２：表示部
１３：コード
１４：測定基準線
１５：コード留具
１６：引出用摘み
１７：コード引出口
２１：リール
２２：コード積層部
２３：マーキング
２４：回転軸
２５：マーキング円板
２６：プーリ
３１：発光素子
３２：受光素子
３３：チャッタ除去回路
３４：カウンタ
３５：機能ＳＷの電気接点
３６：計算部
３７：表示器
７１：電源ＳＷ兼取り込みＳＷ
【図１】
2005345107.tif 000003
【図２（ａ）】
2005345107.tif 000004
【図２（ｂ）】
2005345107.tif 000005
【図２（ｃ）】
2005345107.tif 000006
【図３】
2005345107.tif 000007
【図４】
2005345107.tif 000008
【図５】
2005345107.tif 000009
【図６】
2005345107.tif 000010
【図７】
2005345107.tif 000011
【図８】
2005345107.tif 000012
【図９】
2005345107.tif 000013
【図１０】
2005345107.tif 000014
【図１１】
2005345107.tif 000015